(57)【要約】【課題】ダイパッドとモールド樹脂層との間の密着性を高めて剥離防止効果に優れると共に、比較的安価な構成で済ませる。【課題手段】ダイパッド７に半導体素子２,３を搭載し、モールド樹脂層６により封止して構成される半導体装置１において、前記ダイパッド７の周縁部には、複数個の突出片１０が一体に設けられ、それら突出片１０がその根元部において該ダイパッド７の搭載面に対し上又は下方向に折曲げられていると共に、前記突出片１０の根元部の折曲げ線Ｆに沿う幅方向実質寸法が、該突出片１０の他の部分よりも小さくなるように構成されている。【選択図】図１
2019110258.tif 000002
【特許請求の範囲】
【請求項１】
ダイパッド（７、４１、６３）に半導体素子（２、３）を搭載し、モールド樹脂層（６、６４）により封止して構成される半導体装置（１、６１）において、
前記ダイパッド（７、４１、６３）の周縁部には、複数個の突出片（１０、２１、２４、２７、３０、４２、４５、４８、５１、６５）が一体に設けられ、それら突出片（１０、２１、２４、２７、３０、４２、４５、４８、５１、６５）がその根元部において該ダイパッド（７、４１、６３）の搭載面に対し上又は下方向に折曲げられていると共に、
前記突出片（１０、２１、２４、２７、３０、４２、４５、４８、５１、６５）の根元部の折曲げ線（Ｆ、Ｆ´）に沿う幅方向実質寸法が、該突出片（１０、２１、２４、２７、３０、４２、４５、４８、５１、６５）の他の部分よりも小さくなるように構成されている半導体装置。
【請求項２】
前記突出片（１０、４２、４５、４８）は、前記折曲げ線（Ｆ、Ｆ´）に沿う部分がくびれ形状とされている請求項１に記載の半導体装置。
【請求項３】
前記突出片（２１、２４、２７、３０、５１）には、前記折曲げ線（Ｆ）に沿う部分に、打抜き穴（２２、２５、２８、３１、５２）が形成されている請求項１に記載の半導体装置。
【請求項４】
前記打抜き穴（２５、２８、３１、５２）は、円形又は楕円形状をなす請求項３に記載の半導体装置。
【請求項５】
前記打抜き穴（３１）は、前記折曲げ線（Ｆ）に沿って複数個が設けられている請求項３又は４記載の半導体装置。
【請求項６】
前記突出片（４２）の折曲げ線（Ｆ´）は、前記ダイパッド（４１）の周縁よりも外側に位置される請求項１から５のいずれか一項に記載の半導体装置。
【請求項７】
前記突出片（４５、４８）には、前記根元部とは異なる外周縁部に凹凸部（４５ａ、４８ａ）が形成されている請求項１から６のいずれか一項に記載の半導体装置。
【請求項８】
前記突出片（５１）には、前記根元部とは異なる部分に透孔（５３）が形成されている請求項１から７のいずれか一項に記載の半導体装置。
【発明の詳細な説明】
【技術分野】
【０００１】
本発明は、ダイパッドに半導体素子を搭載し、モールド樹脂層により封止して構成される半導体装置に関する。
【背景技術】
【０００２】
例えばＱＦＰ、ＳＯＰ等の半導体装置にあっては、リードフレームの四角形のダイパッド上に半導体素子を搭載し、その半導体素子とリードフレームのリード端子との間をボンディングワイヤにより接続し、半導体素子の周囲をモールド樹脂層により樹脂封止してパッケージが形成される。このとき、モールド樹脂層との密着性を高めるために、ダイパッドの端部に突出片を櫛歯状に一体形成すると共に、その突出片を上下に折曲げることが行われる（例えば特許文献１参照）。尚、上記リードフレームの製造方法としては、一般に、コスト面で有利なプレス加工によるものと、ファインピッチに適したエッチング加工によるものとがある。
【先行技術文献】
【特許文献】
【０００３】
【特許文献１】特開平５−２５１６１８号公報
【発明の概要】
【発明が解決しようとする課題】
【０００４】
ところで、上記のようにダイパッドの端部に突出片を設けて折曲げる場合、折曲げ加工時の折曲げ力を小さくすることが望ましい。折曲げ力が大きいと、リードフレーム（ダイパッド）の歪みが大きくなり、残存応力も大きくなって、後にダイパッドとモールド樹脂層との間の剥離が生じてしまう原因となる。そこで、突出片の折曲げ力を小さくする方法として、ダイパッドの上面に、ダイパッドと突出片との境界線に沿って延びる溝を形成し、その溝部分で折曲げるようにすることが考えられる。
【０００５】
このとき、リードフレームをエッチング加工により形成する場合には、そのエッチング加工時に深さの深い溝を精度良く形成することも可能である。ところが、この方法では、より一層のコスト高を招いてしまうことになる。これに対し、リードフレームをプレス加工により形成する場合には、プレス加工時に同時に溝を形成することが可能となり、コストが低く抑えられる。ところが、プレス加工により一体的に溝を形成する場合は、十分に高い加工精度が得られず、所定深さの溝を安定して形成することは困難であった。
【０００６】
本発明は上記事情に鑑みてなされたもので、その目的は、ダイパッドとモールド樹脂層との間の密着性を高めて剥離防止効果に優れると共に、比較的安価な構成で済ませることができる半導体装置を提供するにある。
【課題を解決するための手段】
【０００７】
上記目的を達成するために、本発明の半導体装置（１、６１）は、ダイパッド（７、４１、６３）に半導体素子（２、３）を搭載し、モールド樹脂層（６、６４）により封止して構成されるものにおいて、前記ダイパッド（７、４１、６３）の周縁部には、複数個の突出片（１０、２１、２４、２７、３０、４２、４５、４８、５１、６５）が一体に設けられ、それら突出片（１０、２１、２４、２７、３０、４２、４５、４８、５１、６５）がその根元部において該ダイパッド（７、４１、６３）の搭載面に対し上又は下方向に折曲げられていると共に、前記突出片（１０、２１、２４、２７、３０、４２、４５、４８、５１、６５）の根元部の折曲げ線（Ｆ、Ｆ´）に沿う幅方向実質寸法が、該突出片（１０、２１、２４、２７、３０、４２、４５、４８、５１、６５）の他の部分よりも小さくなるように構成されている。
尚、ここで、「幅方向実質寸法」とは、折曲げ線（Ｆ、Ｆ´）に沿う幅方向において、ダイパッド（７、４１、６３）の材料の存在する部分の合計の長さ寸法を言い、途中に穴や切欠き等によって材料が抜けている中断部がある場合には、その抜けている部分の寸法が除外された寸法を言う。
【０００８】
上記構成においては、突出片（１０、２１、２４、２７、３０、４２、４５、４８、５１、６５）の根元部の折曲げ線（Ｆ、Ｆ´）に沿う幅方向実質寸法が、該突出片（１０、２１、２４、２７、３０、４２、４５、４８、５１、６５）の他の部分よりも小さいので、折曲げ線に沿う強度が、他の部分より低くなる。そのため、折曲げ線（Ｆ、Ｆ´）に沿う折曲げ加工を、その分小さい力で容易に行うことができる。これにより、ダイパッド（７、４１、６３）の歪みも小さく済み、残存応力が小さくなる。従って、残存応力に伴うダイパッド（７、４１、６３）とモールド樹脂層（６、６４）との間の剥離を防止することができる。
【０００９】
このとき、突出片（１０、２１、２４、２７、３０、４２、４５、４８、５１、６５）の根元部に、くびれ形状や穴を形成することにより、幅方向実質寸法を小さくすることができるから、ダイパッド（７、４１、６３）の上面に有底溝を形成する場合と異なり、エッチング加工のようなコストのかかる加工は不要となる。そのため、ダイパッド（７、４１、６３）製造時の材料のプレス（打ち抜き）加工といった比較的安価な方法で、目的とする突出片（１０、２１、２４、２７、３０、４２、４５、４８、５１、６５）を容易に形成することができる。この結果、ダイパッド（７、４１、６３）とモールド樹脂層（６、６４）との間の密着性を高めて剥離防止効果に優れると共に、比較的安価な構成で済ませることができるという優れた効果を得ることができる。
【図面の簡単な説明】
【００１０】
【図１】第１の実施形態を示すもので、半導体装置の構成を概略的に示す縦断側面図
【図２】リードフレームの構成を概略的に示す平面図
【図３】突出片の形状を示す拡大平面図
【図４】第２の実施形態を示すもので、突出片の形状を示す拡大平面図
【図５】第３の実施形態を示すもので、突出片の形状を示す拡大平面図
【図６】第４の実施形態を示すもので、突出片の形状を示す拡大平面図
【図７】第５の実施形態を示すもので、突出片の形状を示す拡大平面図
【図８】第６の実施形態を示すもので、突出片の形状を示す拡大平面図
【図９】第７の実施形態を示すもので、突出片の形状を示す拡大平面図
【図１０】第８の実施形態を示すもので、突出片の形状を示す拡大平面図
【図１１】第９の実施形態を示すもので、突出片の形状を示す拡大平面図
【図１２】第１０の実施形態を示すもので、半導体装置の構成を概略的に示す縦断側面図
【発明を実施するための形態】
【００１１】
以下、いわゆるＱＦＰ型の半導体装置に適用したいくつかの実施形態について、図面を参照しながら説明する。尚、以下に述べる各実施形態においては、各実施形態間で共通する部分については、同一符号を付し、説明を繰返すことを省略することとする。また、半導体装置の断面図（図１、図１２）においては、便宜上、半導体チップやダイパッド、パッケージを構成するモールド樹脂層等に対するハッチングを省略している。
【００１２】
（１）第１の実施形態
第１の実施形態について、図１から図３を参照しながら説明する。図１は、第１の実施形態に係る半導体装置１の構成を概略的に示している。この半導体装置１は、例えば２個の半導体素子（ＩＣチップ）２、３をリードフレーム４（図２参照）に装着し、例えば金ワイヤからなるボンディングワイヤ５により必要な電気的接続を行った上で、それらを例えばエポキシ樹脂からなるモールド樹脂層（パッケージ）６により封止して構成されている。
【００１３】
図２に示すように、前記リードフレーム４は、モールド樹脂層６の外側に配置される図示しないガイドフレーム、前記半導体素子２、３がマウントされるダイパッド７、このダイパッド７と前記ガイドフレームとをつなぐ吊りリード８、外側端部が前記ガイドフレームに連結された多数本のリード端子９とを一体に連結した形態に備えている。前記各リード端子９は、その先端側が、モールド樹脂層６の側面から外部（前後左右）に導出されるようになっている。
【００１４】
前記リードフレーム４は、例えば厚み寸法が０．１５ｍｍの金属薄板を、金型を用いたプレス成形により打抜いて形成される。リードフレーム４を構成する金属材料（母材）としては、銅や、銅系の合金、鉄−ニッケル合金等を採用することができる。リードフレーム４にめっきを施すこともできる。前記ダイパッド７は、四角形状（ほぼ正方形）に構成され、その上面に２個の半導体素子２、３が前後に並んで搭載され、例えばＡｇペースト系、はんだ系等のダイボンド材によって固定される。ダイパッド７の詳細については後述する。尚、本実施形態の半導体装置１は、ダイパッド７の下面側を、モールド樹脂層６の外部に露出させるようにした、いわゆるエクスポーズドタイプのものとされている。
【００１５】
前記モールド樹脂層６は、図１に示すように、半導体素子２、３の周囲を、ダイパッド７の下面を除いて封止するような矩形状に構成される。このモールド樹脂層６は、樹脂モールド成形の工程において、半導体素子２、３が実装されたリードフレーム４を図示しないモールド成形型内に収容し、トップゲート方式の樹脂モールド成型を行うことにより得られる。このとき、前記各リード端子９の先端側が、モールド樹脂層６の側面から外部（前後左右）に導出され、整形される。また、前記リードフレーム４のうちガイドフレーム及び吊りリード８の外側の一部（モールド樹脂層６からはみ出た部分）は、樹脂モールド成形後に切断除去され、以て、半導体装置１が得られる。
【００１６】
さて、本実施形態では、前記ダイパッド７は、次のように構成されている。即ち、上記のように、ダイパッド７は、四角形状をなしているのであるが、図２に示すように、その外周縁部、即ち四辺部に位置して、複数個、この場合各辺に４個ずつの突出片１０がいわゆる櫛歯状をなすように一体に設けられている。図３にも示すように、突出片１０は、外側に行くほど拡がる逆三角形状（台形状）に形成されている。図１に示すように、これら突出片１０は、その根元部において該ダイパッド７の搭載面（上面）に対し上方向に折曲げられ、モールド樹脂層６との密着性向上の役割を果たすようになっている。
【００１７】
そして、本実施形態では、図３に示すように、前記突出片１０の根元部の折曲げ線Ｆに沿う幅方向実質寸法が、該突出片１０の他の部分よりも小さくなるように構成されている。具体的には、本実施形態では、前記突出片１０は、折曲げ線Ｆに沿う部分にくびれ形状のくびれ部１１が形成されている。ちなみに、突出片１０の幅寸法の最大部分は、例えば１００μｍ程度とされ、くびれ部１１の幅寸法は、１０〜２０μｍ程度とされている。
【００１８】
これら突出片１０は、リードフレーム４の形成時（打抜き時）に、プレス成形によってダイパッド７に一体的に形成される。また、上記した樹脂モールド成型の前に、折曲げ加工されるようになっている。尚、上記した幅方向実質寸法とは、折曲げ線Ｆに沿う幅方向において、ダイパッド７の材料の存在する部分の合計の長さ寸法を言い、途中に穴や切欠き等によって材料が抜けている中断部がある場合には、その抜けている部分の寸法が除外された寸法を言う。
【００１９】
次に、上記構成の半導体装置１の作用・効果について述べる。上記構成においては、ダイパッド７の周縁部に突出片１０を櫛歯状に一体形成すると共に、その突出片１０を上方に折曲げることにより、モールド樹脂層６との密着性の向上を図ることができる。このとき、突出片１０の根元部の折曲げ線Ｆに沿う幅方向実質寸法が、該突出片１０の他の部分よりも小さくなるように構成されている。これにより、折曲げ線Ｆに沿う強度が、他の部分より低くなり、折曲げ線Ｆに沿う折曲げ加工を、比較的小さい力で容易に行うことができる。
【００２０】
この結果、折曲げ加工に伴うダイパッド７の歪みも小さく済み、残存応力が小さくなる。従って、残存応力に起因するダイパッド７とモールド樹脂層６との間の剥離を、効果的に防止することができる。また本実施形態では、突出片１０の根元部に、くびれ部１１を形成することにより、幅方向実質寸法を小さくした。これにより、ダイパッド上に底のある溝を形成する場合と異なり、エッチング加工のようなコストのかかる加工は不要となり、リードフレーム４の製造時の材料のプレス（打ち抜き）加工といった比較的安価な方法で、目的とする突出片１０を有したダイパッド７を容易に形成することができる。
【００２１】
このように、本実施形態の半導体装置１によれば、ダイパッド７とモールド樹脂層６との間の密着性を高めて剥離防止効果に優れると共に、比較的安価な構成で済ませることができるという優れた効果を得ることができる。特に本実施形態では、前記突出片１０は、折曲げ線Ｆに沿う部分を、くびれ形状という簡単な形状に構成したので、プレス（打ち抜き）加工により製造が容易で、目的とする構成を簡単で安価に得ることができる。
【００２２】
（２）第２〜第５の実施形態
次に、図４〜図７を参照して、第２〜第５の実施形態について順に述べる。
図４は、第２の実施形態を示すものである。この第２の実施形態では、ダイパッド７に一体形成される突出片２１の構成が、上記第１の実施形態の突出片１０と異なっている。即ち、本実施形態では、ダイパッド７の四辺部に、逆三角形状（台形状）の複数個の突出片２１がいわゆる櫛歯状をなすように一体に設けられている。これら突出片２１は、樹脂モールド成型前に上方向に折曲げられる。
【００２３】
このとき、突出片２１の根元部には、折曲げ線Ｆに沿う部分に、打抜き穴２２が形成されている。この打抜き穴２２は、折曲げ線Ｆに沿う方向に長い長方形のスリット状に形成されている。これにより、突出片２１の根元部の折曲げ線Ｆに沿う幅方向実質寸法が、突出片２１の他の部分よりも小さく構成されている。尚、この打抜き穴２２は、リードフレーム４の製造時の材料のプレス加工において同時に形成される。ちなみに、打抜き穴２２の長手方向寸法は例えば５０μｍとされている。
【００２４】
この構成によれば、やはり、打抜き穴２２を形成したことにより、突出片２１の折曲げ加工を、比較的小さい力で容易に行うことができ、残存応力が小さくなる。この結果、残存応力に起因するダイパッド７とモールド樹脂層６との間の剥離を、効果的に防止することができる。また本実施形態では、突出片２１の根元部に、打抜き穴２２を形成することにより、幅方向実質寸法を小さくした。これにより、リードフレーム４の製造時の材料のプレス加工により、目的とする突出片２１を有したダイパッド７を容易に形成することができる。従って、この第２の実施形態によっても、上記第１の実施形態と同様に、ダイパッド７とモールド樹脂層６との間の密着性を高めて剥離防止効果に優れると共に、比較的安価な構成で済ませることができるという優れた効果を得ることができる。
【００２５】
図５は、第３の実施形態を示すものであり、上記第２の実施形態と異なるところは、突出片２４の根元部の、折曲げ線Ｆに沿う部分に、円形の打抜き穴２５を形成した点にある。この場合も、リードフレーム４の製造時の材料のプレス加工により、リードフレーム４の打抜きと同時に打抜き穴２５を形成することができ、目的とする突出片２４を有したダイパッド７を容易に形成することができる。
【００２６】
従って、この第３の実施形態によっても、ダイパッド７とモールド樹脂層６との間の密着性を高めて剥離防止効果に優れると共に、比較的安価な構成で済ませることができるという優れた効果を得ることができる。また、打抜き穴２５を角の存在しない円形に構成したので、打抜き穴の角から亀裂が生じて強度が低下したり破断したりする不具合を未然に防止することができる。
【００２７】
図６は、第４の実施形態を示すものであり、上記第２、第３の実施形態と異なるところは、突出片２７の根元部の、折曲げ線Ｆに沿う部分に、折曲げ線Ｆに沿う方向を長軸とした楕円形の打抜き穴２８を形成した点にある。この場合も、やはり、リードフレーム４の製造時の材料のプレス加工により、打抜き穴２８を有する突出片２７を同時に形成することができる。この第４の実施形態によっても、上記第３の実施形態と同等の作用・効果を得ることができる。
【００２８】
図７は、第５の実施形態を示すものである。この第５の実施形態においては、突出片３０の根元部の、折曲げ線Ｆに沿う部分に、複数個例えば３個の小さな円形の打抜き穴３１を並べて形成することにより、幅方向実質寸法を小さくしている。この場合も、リードフレーム４の製造時の材料のプレス加工により、リードフレーム４の打抜きと同時に打抜き穴３１を形成することができ、目的とする突出片３０を有したダイパッド７を容易に形成することができる。従って、この第５の実施形態によっても、第２〜第４の実施形態と同様の効果を得ることができる。また、突出片３０の根元部の材料が抜けている中断部が複数に分割されているので、部分的に著しい強度低下を生ずるといったことなく、目的とする構成を得ることができる。
【００２９】
（３）第６〜第８の実施形態
図８は、第６の実施形態を示すものであり、上記第１の実施形態とは次の点で異なる。即ち、本実施形態に係るダイパッド４１は、その四辺部に、逆三角形状（台形状）の複数個の突出片４２をいわゆる櫛歯状をなすように一体に有している。これら突出片４２は、モールド成型前に上方向に折曲げられる。
【００３０】
このとき、本実施形態では、突出片４２の根元部の折曲げ線Ｆ´が、ダイパッド４１の周縁（縁辺部）よりも外側に位置されるようになっている。つまり、ダイパッド４１の辺部には、各突出片４２に対応して、外側に膨らむ膨出部４１ａを有し、その外側に折曲げ線Ｆ´が設定される。そして、各突出片４２の根元部には、折曲げ線Ｆ´に沿う部分に、くびれ形状となるくびれ部４３が形成されることにより、幅方向実質寸法が小さくなっている。この場合も、リードフレーム４の製造時の材料のプレス加工により、リードフレーム４の打抜きと同時に、各突出片４２を有したダイパッド４１を得ることができる。
【００３１】
これによれば、突出片４２を折曲げる位置がダイパッド４１の周縁よりも外側になるので、突出片４２の折曲げ加工がしやすくなる。言い換えると、ダイパッド４１の周縁に近い位置に折曲げ線をもってくる場合に比べて、ラフな寸法精度で済ませることができる。ダイパッド４１とモールド樹脂層６との間の剥離防止の効果に関しては、ダイパッド４１の周縁に折曲げ線が配置される場合と同等に得ることができる。従って、この第６の実施形態においても、上記第１の実施形態等と同様に、ダイパッド４１とモールド樹脂層６との間の密着性を高めて剥離防止効果に優れると共に、比較的安価な構成で済ませることができるという優れた効果を得ることができる。
【００３２】
図９は、第７の実施形態を示すものであり、ダイパッド７の周縁部に形成される突出片４５の形状が上記第１の実施形態等と異なっている。即ち、突出片４５は、四角形（長方形）を基本としており、その根元部には、折曲げ線Ｆに沿う部分に、くびれ形状となるくびれ部４６が形成されることにより、幅方向実質寸法が小さくなっている。そして、突出片４５には、根元部（くびれ部４６）から離れた外周縁部に凹凸部が形成されている。本実施形態では、凹凸部として、突出片４５のうち、ダイパッド７の辺に近い側の２か所の角部が四角く切り取られた形態の凹部４５ａが形成されている。
【００３３】
これによれば、上記第１の実施形態等と同様に、突出片４５にくびれ部４６を形成したことにより、ダイパッド７とモールド樹脂層６との間の密着性を高めて剥離防止効果に優れると共に、比較的安価な構成で済ませることができるという優れた効果を得ることができる。そして、突出片４５の外周縁部に凹部４５ａ部分においても、いわゆるアンカー効果が得られ、凹凸部がない場合に比べて、モールド樹脂層６との間の密着性をより高めることができる。尚、凹部に代えて凸部を形成するようにしても良い。
【００３４】
図１０は、第８の実施形態を示すものであり、ダイパッド７の周縁部に形成される突出片４８の形状が上記第７の実施形態と異なっている。即ち、即ち、突出片４８は、四角形（長方形）を基本とし、その根元部には、折曲げ線Ｆに沿う部分に、くびれ形状となるくびれ部４９が形成されることにより、幅方向実質寸法が小さくなっている。そして、突出片４８には、凹凸部として、ダイパッド７の辺に近い側の辺部の２か所が四角く切り取られた形態の凹部４８ａが形成されている。この第８の実施形態によっても、上記第７の実施形態と同等の効果を得ることができる。
【００３５】
（４）第９、第１０の実施形態、その他の実施形態
図１１は、第９の実施形態を示すものであり、ダイパッド７の周縁部に形成される突出片５１の形状を示している。この突出片５１は、上記第４の実施形態の突出片２７と同様に、その根元部の、折曲げ線Ｆに沿う部分に、折曲げ線Ｆに沿う方向を長軸とした楕円形の打抜き穴５２が形成されることにより、幅方向実質寸法が小さくなっている。そして、突出片５１には、根元部とは異なる部分に例えば円形の透孔５３が形成されている。この場合も、やはり、リードフレーム４の製造時の材料のプレス加工により、打抜き穴５２及び透孔５３を有する突出片５１を同時に形成することができる。
【００３６】
このような第９の実施形態によれば、上記第１の実施形態等と同様に、突出片５１に打抜き穴５２を形成したことにより、ダイパッド７とモールド樹脂層６との間の密着性を高めて剥離防止効果に優れると共に、比較的安価な構成で済ませることができるという優れた効果を得ることができる。そして、突出片５１の根元部とは異なる部分の透孔５３によっても、いわゆるアンカー効果が得られ、透孔５３がない場合に比べて、モールド樹脂層６との間の密着性をより高めることができる。尚、このように透孔５３を設ける場合、透孔の形状や個数については、様々な変更が可能であることは勿論である、
【００３７】
図１２は、第１０の実施形態に係る半導体装置６１の構成を示している。この半導体装置６１が、上記第１の実施形態の半導体装置１と異なる点は、リードフレーム６２のダイパッド６３の下面側を、モールド樹脂層６４により覆った（露出させない）形態としたところにある。この場合も、ダイパッド６３の周縁部には、突出片６５が櫛歯状に一体形成され、その突出片６５を上方に折曲げることにより、モールド樹脂層６４との密着性の向上が図られる。
【００３８】
そして、図示はしないが、突出片６５の根元部の折曲げ線Ｆに沿って、くびれ部或いは打抜き穴が形成されることにより、幅方向実質寸法が突出片６５の他の部分よりも小さくなるように構成されている。これにより、上記第１の実施形態等と同様に、ダイパッド６３とモールド樹脂層６４との間の密着性を高めて剥離防止効果に優れると共に、比較的安価な構成で済ませることができるという優れた効果を得ることができる。尚、図１２では、突出片６５を上方に折曲げるように構成したが、下方に折曲げる構成としても良く、上方に折曲げたものと下方に折曲げたものを混在させても良い。
【００３９】
なお、上記した各実施形態では、突出片の形状として、三角形或いは四角形といった形状を採用したが、これらに限らず、半円形状など丸みを帯びた形状等であっても良い。また、上記実施形態では、１個のダイパッドに、２個の半導体素子を並べて設ける場合を具体例としたが、半導体素子を設ける個数としては、１個或いは３個以上であっても良いことは勿論である。その他、リードフレームやボンディングワイヤ、モールド樹脂層の材質、モールド樹脂層やリード端子の形状、突出片の配置や設ける個数などについても、様々な変更が可能である。
【００４０】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００４１】
図面中、１、６１は半導体装置、２、３は半導体素子、４、６２はリードフレーム、５はボンディングワイヤ、６、６４はモールド樹脂層、７、４１,６３はダイパッド、１０、２１、２４、２７、３０、４２、４５、４８、５１、６５は突出片、１１、４３、４９はくびれ部、２２、２５、２８、３１、５２は打抜き穴、４５ａ、４８ａは凹部（凹凸部）、５３は透孔、Ｆ、Ｆ´は折曲げ線を示す。
【図１】
2019110258.tif 000003
【図２】
2019110258.tif 000004
【図３】
2019110258.tif 000005
【図４】
2019110258.tif 000006
【図５】
2019110258.tif 000007
【図６】
2019110258.tif 000008
【図７】
2019110258.tif 000009
【図８】
2019110258.tif 000010
【図９】
2019110258.tif 000011
【図１０】
2019110258.tif 000012
【図１１】
2019110258.tif 000013
【図１２】
2019110258.tif 000014